(57)【要約】【課題】  本発明は、背中側が分離・連結自在に分割された着物の衿部の美感を向上できる簡易着付け式着物を提供することを課題とする。【解決手段】  上身頃２と上身頃の上部に縫着された衿３とが、背中側で分離・連結自在に左右に分割されるとともに、衿の背中側の左右の分割端部を着脱自在に連結する衿連結手段と、上身頃の背中側の左右の分割端部を着脱自在に連結する上身頃連結手段と、衿の背中側で、衿の外側から衿の内側に向けて衿の左右の分割端部の連結個所を覆うための衿カバー６とを備える簡易着付け式着物である。【選択図】    図１
2019077982.tif 000002
【特許請求の範囲】
【請求項１】
上身頃と上身頃の上部に縫着された衿とが、背中側で分離・連結自在に左右に分割されるとともに、衿の背中側の左右の分割端部を着脱自在に連結する衿連結手段と、上身頃の背中側の左右の分割端部を着脱自在に連結する上身頃連結手段と、衿の背中側で、衿の外側から衿の内側に向けて衿の左右の分割端部の連結個所を覆うための衿カバーとを備える簡易着付け式着物。
【請求項２】
上記衿カバーは、左右の分割端部のうち、一方の分割端部近くの衿下端又は上身頃上端に取り付けられて、衿の頂部で山折りするように二つ折りして衿の左右の分割端部の連結個所を覆うことを特徴とする、請求項１に記載の簡易着付け式着物。
【請求項３】
上記衿カバーを、衿の外側と内側で、衿又は上身頃上端部に着脱自在に止着する衿カバー止着手段をさらに備えることを特徴とする、請求項２に記載の簡易着付け式着物。
【請求項４】
背中側で左右に分割された衿の内側に、背中側で左右に分割された左半衿と右半衿が縫着されており、衿の背中側の内側で、左右の分割端部の内、一方の分割端部近くの衿下端又は上身頃上端に取り付けられて、半衿の内側から半衿の外側に向けて半衿の左右の分割個所を覆うための半衿カバーと、半衿の左右の分割個所を、半衿の頂部で山折りするように二つ折りして覆う半衿カバーとを備えることを特徴とする、請求項１ないし請求項３のいずれか１項に記載の簡易着付け式着物。
【請求項５】
上記半衿カバーを、半衿の外側と内側で、衿又は半衿に着脱自在に止着する半衿カバー止着手段をさらに備えることを特徴とする、請求項４に記載の簡易着付け式着物。
【請求項６】
左右に分割された半衿内にはそれぞれ左衿芯及び右衿芯が挿脱自在に挿入されており、左衿芯及び右衿芯はそれぞれ左右の半衿の分割端部から突出した部分に衿芯連結手段が設けられていることを特徴とする、請求項４又は請求項５に記載の簡易着付け式着物。
【発明の詳細な説明】
【技術分野】
【０００１】
本発明は簡易着付け式着物に係り、特に背中側を分離・連結自在にした簡易着付け式着物に関する。
【背景技術】
【０００２】
洋装が主流の現在、女性の着物姿は伝統美を醸し出し、本人及び周囲が和やかな雰囲気を楽しむことができる。但し、着物の着付けは難しいため、従来から簡易着付け式の着物が提案されている。（例えば、特許文献１参照）
ところが、従来の簡易着付け式着物は、上体衣と下体衣を分離し、ファスナーで連結可能としたものであり、上衣体と下衣体が前開きとなっている。このため、施設等で横に寝たままの姿勢で着ることができなかったり、車椅子等に着座したままの姿勢で着ることはできなかった。
【０００３】
この問題を解決するため、本出願人は先に、左右の前身頃を予め縫着する一方、背面側の後見頃を左右に分割し、面ファスナー、線ファスナー、ベルト等で分離・連結自在に構成した簡易着付け式着物を提案した。（特許文献２参照）
図６は、従来の簡易着付け式着物を立ったまま着装したときの正面図である。また図７の（１）図、（２）図は、簡易着付け式着物を立ったまま着装したときのそれぞれ異なった背面図である。図７の（１）図に示す簡易着付け式着物には、背面側に開口が設けられている。
なお、図６、図７では簡易着付け式着物として、上体衣と下体衣とが一体となったものを例示したが、上体衣と下体衣とが分離した上下２部式とすることもできる。
【先行技術文献】
【特許文献】
【０００４】
【特許文献１】実開平０７−９９１７号公報
【特許文献２】特開２０１６−８４５６８号公報
【発明の概要】
【発明が解決しようとする課題】
【０００５】
着物は衿部の美感が重要であるが、従来の簡易着付け式着物のように衿部を、背面側で単純に分割すると、図７の（１）図、（２）図からも分かるように、衿の左右の分割端部の連結個所が露呈して衿部の本来の美感を損ねてしまう欠点がある。
本発明は上記した従来の簡易着付け式着物の問題点に鑑みなされたもので、背中側が分離・連結自在に分割された着物の衿部の美感を向上できる簡易着付け式着物を提供することを課題とする。
【課題を解決するための手段】
【０００６】
本発明の課題を解決するための手段は、次のとおりである。
（１）上身頃と上身頃の上部に縫着された衿とが、背中側で分離・連結自在に左右に分割されるとともに、衿の背中側の左右の分割端部を着脱自在に連結する衿連結手段と、上身頃の背中側の左右の分割端部を着脱自在に連結する上身頃連結手段と、衿の背中側で、衿の外側から衿の内側に向けて衿の左右の分割端部の連結個所を覆うための衿カバーとを備える簡易着付け式着物。
（２）上記衿カバーは、左右の分割端部のうち、一方の分割端部近くの衿下端又は上身頃上端に取り付けられて、衿の頂部で山折りするように二つ折りして衿の左右の分割端部の連結個所を覆うことを特徴とする、上記（１）に記載の簡易着付け式着物。
（３）上記衿カバーを、衿の外側と内側で、衿又は上身頃上端部に着脱自在に止着する衿カバー止着手段をさらに備えることを特徴とする、上記（２）に記載の簡易着付け式着物。
（４）背中側で左右に分割された衿の内側に、背中側で左右に分割された左半衿と右半衿が縫着されており、衿の背中側の内側で、左右の分割端部の内、一方の分割端部近くの衿下端又は上身頃上端に取り付けられて、半衿の内側から半衿の外側に向けて半衿の左右の分割個所を覆うための半衿カバーと、半衿の左右の分割個所を、半衿の頂部で山折りするように二つ折りして覆う半衿カバーとを備えることを特徴とする、上記（１）ないし上記（３）のいずれかに記載の簡易着付け式着物。
（５）上記半衿カバーを、半衿の外側と内側で、衿又は半衿に着脱自在に止着する半衿カバー止着手段をさらに備えることを特徴とする、上記（４）に記載の簡易着付け式着物。
（６）左右に分割された半衿内にはそれぞれ左衿芯及び右衿芯が挿脱自在に挿入されており、左衿芯及び右衿芯はそれぞれ左右の半衿の分割端部から突出した部分に衿芯連結手段が設けられていることを特徴とする、上記（４）又は上記（５）に記載の簡易着付け式着物。
【図面の簡単な説明】
【０００７】
【図１】本発明の第１の実施例に係る、簡易着付け式着物の上体衣を示す詳細説明図である。
【図２】図１に係る、上体衣１の衿部分の着付け方法を示す詳細説明図である。
【図３】図１に係る、上体衣１の衿部分の着付け方法を示す簡略説明図である。
【図４】本発明の第２の実施例に係る、簡易着付け式着物の上体衣を示す簡略説明図である。
【図５】図４に係る、上体衣１の衿部分の着付け方法を示す簡略説明図である。
【図６】従来の簡易着付け式着物を立ったまま着装したときの正面図である。
【図７】従来の簡易着付け式着物を立ったまま着装したときの異なる背面図である。
【発明を実施するための形態】
【０００８】
以下、本発明を実施するための形態を実施例に基づき説明する。
（第１の実施例）
図１を参照して本発明に係る簡易着付け式着物について、第１の実施例を説明する。
図１の（１）図は、簡易着付け式着物の背中側の上部を示す一部省略した詳細説明図である。また、図１の（２）図は、衿を下方へ折り曲げて半衿を露出させた詳細説明図である。
図１において、１は、上体衣と下体衣に分かれた上下２部式の簡易着付け着物の上体衣の背面の主要部であり、上身頃２の上部に衿３が縫着されている。
また、上身頃２を構成する左上身頃２ａと右上身頃２ｂには、図示しない左袖部と右袖部が縫着されている。
【０００９】
上身頃２は、左上身頃２ａと右上身頃２ｂが着物の前側で通常の着付け時のように重ねて縫着されている。
一方、上身頃２と衿３の背面側は、背中線に沿った中央付近で左右に分離・連結自在に分割されている。
即ち、左上身頃２ａと右上身頃２ｂは、背中側で分離している。左上身頃２ａの背中側の分割端部２０ａの裏側と右上身頃２ｂの背中側の分割端部２０ｂの外側には各々、上身頃連結手段の一例としての面ファスナー２１ａ、２１ｂが取り付けられており、分割端部２０ａ、２０ｂを重ね合わせた後に、面ファスナー２１ａ、２１ｂで着脱自在に止着することにより、分離・連結自在に形成されている。
【００１０】
衿３の背面側は、背中線に沿った中央付近で左右に分割されており、分割された左衿３ａが左上身頃２ａの上端に縫着されており、右衿３ｂが右上身頃２ｂの上端に縫着されている。
左衿３ａの分割端部３０ａは、左上身頃２ａの分割端部２０ａの上端より右方へ延設されており、右衿３ｂの分割端部３０ｂは、右上身頃２ｂの分割端部２０ｂの上端より左方へ延設されている。左衿３ａの分割端部３０ａの裏側と右衿３ｂの外側には各々、衿連結手段の一例としての面ファスナー３１ａ、３１ｂが取り付けられており、分割端部３０ａ、３０ｂを重ね合わせたのち、面ファスナー３１ａ、３１ｂで着脱自在に止着することにより、分離・連結自在に形成されている。
面ファスナー３１ａ、３１ｂに代えて、線ファスナー、ボタン、ホックなどで着脱自在とすることもできる。
【００１１】
衿３の背面側の内側には、半衿４が縫着されている。
半衿４は背中線に沿った中央で左右に分割されており、分割された左半衿４ａの下部が左衿３ｂの内側の下部に縫着されており、右半衿４ｂの下部が右衿３ｂの内側の下部に縫着されている。
左半衿４ａの分割端部４０ａの部分は、左衿３ａとは縫着されておらず、右衿３ｂの分割端部３０ｂを左衿３ａの分割端部３０ａと左半衿４ａの分割端部の間に容易に挿入可能としたり、後述する左衿芯５ａと右衿芯５ｂを容易に連結・分離したりできるようになっている。
右半衿４ｂの分割端部４０ｂの部分は、右衿３ｂと縫着されている。
【００１２】
左半衿４ａと右半衿４ｂは、各々内部に隙間の空いた袋状に形成されており、分割端縁の口４１ａ、４１ｂから内部に、左衿芯５ａと右衿芯５ｂが挿脱自在に挿入されている。
左衿芯５ａと右衿芯５ｂは、一つの衿芯を背中側の中央で左右に分割して形成されており、左衿芯５ａの分割端部５０ａの裏側と右衿芯５ｂの分割端部５０ｂの外側には各々、衿芯連結手段の一例としての面ファスナー５１ａ、５１ｂが取り付けられており、分割端部５０ａ、５０ｂを重ね合わせたのち、面ファスナー５１ａ、５１ｂで着脱自在に止着することにより、分離・連結自在に形成されている。
面ファスナー５１ａ、５１ｂに代えて、ボタン、ホックなどで着脱自在とすることもできる。
【００１３】
上体衣１の衿３の近傍には、左衿３ａと右衿３ｂの連結箇所を外部から隠すための衿カバー６が付設されている。すなわち、衿３の背中側中央付近の外側で、分割端部３０ａの下端又は左上身頃２ａの上端に、長方形状の衿カバー６の下端縁の左端から中央より少し右側部分までが縫着されている。
衿カバー６の右端部は、左衿３ａの分割端部３０ａより右方へ延設されている。衿カバー６の当該一端縁の右隅にオス側スナップボタン６０ａ、衿カバー６の上端縁近くの左右両側に面ファスナー６１ａ、６２ａが取り付けられている。
【００１４】
右衿３ｂの分割端部３０ｂの下部には、オス側スナップボタン６０ａに対応するメス側スナップボタン６０ｂが取り付けられており、左衿３ａ、右衿３ｂの分割端部３０ａ、３０ｂの内側には、面ファスナー６１ａ、６２ａに対応する面ファスナー６１ｂ、６２ｂが取り付けられている。
衿カバー６は、衿３と同じ着物生地を用いて製作されている。
【００１５】
また上体衣１の半衿４の近傍には、左半衿４ａと右半衿４ｂの分割箇所を外部から隠すための半衿カバー７が付設されている。
すなわち、衿３の背中側中央付近の内側で、右半衿４ｂの下側に相当する右衿３ｂの分割端部３０ｂの下端又は右上身頃２ｂの上端に、長方形状の半衿カバー７の下端縁の右端から中央部分までが縫着されている。
【００１６】
半衿カバー７の左端部は、右半衿４ｂの口４０ｂより左方へ延設されている。半衿カバー７の当該一端縁の左隅に、オス側スナップボタン７０ａ、半衿カバー７の上端縁近くの左右両側に面ファスナー７１ａ、７２ａが取り付けられている。
左衿３ａの分割端部３０ｂの内、左半衿４ａの下側には、オス側スナップボタン７０ａに対応するメス側スナップボタン７０ｂが取り付けられており、左半衿４ａ、右半衿３ｂの分割端部４０ａ、４０ｂの外側には、面ファスナー７１ａ、７２ａに対応する面ファスナー７１ｂ、７２ｂが取り付けられている。
半衿カバー７は、半衿７と同じ着物生地を用いて製作されている。
【００１７】
図２及び図３を参照して、上記した上体衣１の衿部分の着付け方法を説明する。
左上身頃２ａと右上身頃２ｂ、左衿３ａと右衿３ｂ、左衿芯５ａと右衿芯５ｂが全て分離されている状態で、利用者が上体衣１を前側から着用し、両手を図示しない両袖部に通す。背中側で、左上身頃２ａの分割端部２０ａを右上身頃２ｂの分割端部２０ｂに重ね、面ファスナー２１ａと２１ｂにより着脱自在に止着する。
【００１８】
次に、左衿芯５ａの分割端部５０ａ、５０ｂを重ね合わせ、面ファスナー５１ａ、５１ｂで着脱自在に止着し、半衿４の分割個所である左半衿４ａの口４１ａと右半衿４ｂの口４１ｂを接近させた状態で、半衿カバー７のオス側スナップボタン７０ａをメス側スナップボタン７０ｂに着脱自在に嵌着する。
【００１９】
続いて、半衿カバー７を左半衿４ａと右半衿４ｂの分割端部４０ａ、４０ｂの上端で山折りするようにして、左半衿４ａと右半衿４ｂの内側から外側へ１８０度折り曲げて分割箇所を覆い、左半衿４ａと右半衿４ｂの外側の面ファスナー７１ｂ、７２ｂに半衿カバー７の面ファスナー７１ａ、７２ａを着脱自在に装着する。
これにより、左半衿３ｃと右半衿３ｄの分割箇所が半衿カバー７により隠されて、本物の着物のような外観を呈することができる。（図２の（１）図参照）
【００２０】
次に、右衿３ｂの分割端部３０ｂを左衿３ａの分割端部３０ａと左半衿４ａの分割端部４０ａの間に挿入して分割端部３０ａと３０ｂを重ね合わせ、面ファスナー３１ｂ、３１ｂと３１ａ、３１ａにより着脱自在に止着する。（図２の（２）図参照）
また、左衿３ａと右衿３ｂを連結後、衿カバー６のオス側スナップボタン６０ａをメス側スナップボタン６０ｂに着脱自在に嵌着する。
【００２１】
続いて、衿カバー６を左衿３ａと右衿３ｂの分割端部３０ａ、３０ｂの上端で山折りするようにして、左衿３ａと右衿３ｂの外側から内側へ１８０度折り曲げて連結箇所を覆い、左衿３ａと右衿３ｂの内側の面ファスナー６１ｂ、６２ｂに衿カバー６の面ファスナー６１ａ、６２ａを着脱自在に装着する。
これにより、左衿３ａと右衿３ｂの分割箇所が衿カバー６により隠されて本物の着物のような外観を呈することができる。（図３参照）
【００２２】
なお、図示しない下体衣は、背中側が開いたエプロン形として、下体衣の上端の左右両端から周方向へ延長した２本のベルトを着脱自在に連結するようにしたり、上体衣の下端部の内側と下体衣の上端部の外側に設けた面ファスナー、線ファスナー、ボタン等により上下連結するようにすればよい。
また、左衿３ａと右衿３ｂを先に連結して衿カバー６で覆い、後から左半衿４ａと右半衿４ｂを連結し、半衿カバー７で覆うようにしてもよい。
【００２３】
第１の実施例によれば、背開き式の上体衣１における衿３の背中側の連結個所を衿カバー６で覆うことにより、衿３の連結個所を目立たなくすることができ、本来の着物の衿に近い美感を発揮することができる。
また、衿３の内側に半衿４を縫着した場合でも、半衿４の背中側の分割個所を半衿カバー７で覆うことにより、半衿４の分割個所を目立たなくすることができ、本来の着物の半衿に近い美感を発揮することができる。
【００２４】
（第２の実施例）
図４を参照して本発明に係る簡易着付け式着物について、第２の実施例を説明する。
第１の実施例では、左上身頃２ａと、右上身頃２ｂの分割端部２０ａ、２０ｂを面ファスナー２１ａ、２１ｂで連結し、左衿３ａと、右衿３ｂの分割端部３０ａ、３０ｂを面ファスナー３１ａ、３２ａと３１ｂ、３２ｂで連結する場合を例に挙げて説明したが、本発明は何らこれに限定されず、図４の（１）図に示すように、左上身頃２ａ’と右上身頃２ｂ’の分割端部２０ａ’、２０ｂ’と、左衿３ａ’と右衿３ｂ’の分割端部３０ａ’、３０ｂ’を止着手段としての共通の一本の線ファスナー８０ａ、８０ｂで着脱自在に連結するようにしてもよい。
【００２５】
線ファスナー８０ａ、８０ｂを用いる場合、まず線ファスナー８０ａ、８０ｂを締めて左上身頃２ａ’と右上身頃２ｂ’の分割端部２０ａ’、２０ｂ’と、左衿３ａ’と右衿３ｂ’の分割端部３０ａ’、３０ｂ’を連結する。（図４の（２）図参照）
そして、第１実施例と同様に構成された衿カバー６’のオス側スナップボタン６０ａをメス側スナップボタン６０ｂに着脱自在に嵌着する。
【００２６】
続いて、衿カバー６’を左衿３ａ’と右衿３ｂ’の分割端部３０ａ’、３０ｂ’の上端で山折りするようにして、左衿３ａ’と右衿３ｂ’の外側から内側へ１８０度折り曲げて連結箇所を覆い、左衿３ａ’と右衿３ｂ’の内側の面ファスナー６１ｂ、６２ｂに衿カバー６’の面ファスナー６１ａ、６２ａ を着脱自在に装着する。
これにより、左衿３ａ’と右衿３ｂ’の分割箇所が衿カバー６’により隠されて本物の着物のような外観を呈することができる。（図５参照）
【００２７】
図４の（１）図の線ファスナー８０ａ、８０ｂを、衿と上身頃で別々に設けてもよい。
また、衿カバー、半衿カバーを衿、半衿、上身頃に止着するスナップボタンを面ファスナーに置き換えたり、面ファスナーをスナップボタンに置き換えたりしてもよい。
【００２８】
（本発明の技術的範囲）
本明細書に開示した各実施例は、本発明に係る、簡易着付け式着物の理解を容易にするために例示したものであって、本発明はこれに限定されるものではない。
すなわち、本発明は、特許請求の範囲を逸脱しない限り、簡易着付け式着物の設計に当たって、適宜の設計変更が可能であることは言うまでもないことである。
【符号の説明】
【００２９】
１    上体衣
２    上身頃
２ａ  左上身頃
２ｂ  右上身頃
３    衿
３ａ  左衿
３ｂ  右衿
４    半衿
４ａ  左半衿
４ｂ  右半衿
５ａ  左衿芯
５ｂ  右衿芯
６    衿カバー
７    半衿カバー
８０  衿延長部
８０ａ  線ファスナー
８０ｂ  線ファスナー
【図１】
2019077982.tif 000003
【図２】
2019077982.tif 000004
【図３】
2019077982.tif 000005
【図４】
2019077982.tif 000006
【図５】
2019077982.tif 000007
【図６】
2019077982.tif 000008
【図７】
2019077982.tif 000009